(57)【要約】【課題】密閉性を確保しながら、収納物の噛み込みをも防止することのできる包装用容器を、簡単な構成によって提供すること。【解決手段】側壁１２の上部に嵌合突条１１を周設した容器本体と、嵌合突条１１に嵌合される嵌合凹条２１を周設した蓋体２０とからなる内外嵌合型の包装用容器であって、容器本体の底面から嵌合突条１１に至る側壁１２に、蓋体２０側の当接平面２３が当接することになる当該容器本体側の当接平面１３の一部を残しながら、蓋体２０側の当接平面２３の当接を回避する傾斜面１４を形成したこと。【選択図】図９
2007176507.tif 000002
【特許請求の範囲】
【請求項１】
側壁の上部に嵌合突条を周設した容器本体と、前記嵌合突条に嵌合される嵌合凹条を周設した蓋体とからなる内外嵌合型の包装用容器であって、
前記容器本体の底面から前記嵌合突条に至る前記側壁に、前記蓋体側の当接平面が当接することになる当該容器本体側の当接平面の一部を残しながら、前記蓋体側の当接平面の当接を回避する傾斜面を形成したことを特徴とする内外嵌合型の包装用容器。
【請求項２】
側壁の上部に嵌合突条を周設した容器本体と、前記嵌合突条に嵌合される嵌合凹条を周設した蓋体とからなる内外嵌合型の包装用容器であって、
前記容器本体側の当接平面が当接することになる当該蓋体側の当接平面に、その一部を残しながら、前記容器本体側の当接平面の当接を回避する傾斜面を形成したことを特徴とする内外嵌合型の包装用容器。
【請求項３】
前記容器本体側の傾斜面または前記蓋体側の傾斜面を、当該包装用容器の各辺について複数形成したことを特徴とする請求項１または請求項２に記載の内外嵌合型の包装用容器。
【発明の詳細な説明】
【技術分野】
【０００１】
本発明は、容器本体と蓋体とからなる包装用容器に関し、特に、容器本体側の嵌合突条に蓋体側の嵌合凹条を嵌合させることにより、密閉性を確実にした所謂内外嵌合型の包装用容器に関するものである。
【背景技術】
【０００２】
この種の内外嵌合型の包装用容器は、容器本体も蓋体も合成樹脂シートを型成形することにより、安価で衛生的に製造されるものであり、しかも密閉性が非常に高いものであることから、近年では大量に製造され使用されているものである。そして、この内外嵌合型の包装用容器は、梅干、漬物、珍味、シラス、煮物、カット野菜等、種々な食品を収納する容器としても利用されている。
【０００３】
このような内外嵌合型の包装用容器としては、例えば特許文献１あるいは特許文献２に具体的な例が見られる。
【０００４】
特許文献１の内外嵌合型包装用容器は、「水蒸気が冷やされてできた水滴が食品に滴下もしくは局部的にふやけさすのを防止し、手間をかけずに短時間で温めて食べることができ、かつ食味の良い食品を確保できる包装容器を提供する」ことを目的としてなされたもので、図１２に示すように、「食品を収納する深皿形体の外縁を外方向に立上げて内周縁とし、この内周縁を外側に折返して水滴流れ溝を周設し、この水滴流れ溝を挟んで内周縁と上記内周縁より高さの高い外周縁を形成した深皿形の容器本体と、天面を中央部から緩やかな曲線を形成し、この曲線の延長先に深皿形の容器本体の外周縁の縁部に嵌着する係合部を周設した蓋体とからなり、蓋体の係合部内側が、水滴流れ溝の外周縁に当接するように深皿形の容器本体に蓋体を被着した包装容器」である。
【０００５】
また、特許文献２には、「加熱調理食品の包装に用いる蓋付きの容器において、容器移送中であっても蓋内面の水滴を食品に付着させず、食品の風味を維持できるようにする」ことを目的としてなされた「食品包装容器」が提案されており、図１３に示すように、「容器本体１の周壁１２の上部に周壁を外方へ折り返してなる凹部１４を周設し、容器本体１に蓋体２を装着したときに、蓋体２の周壁２２の下端部２２ａが凹部１４の内側縁部１４ａに、幅０．５〜３ｍｍ程度の狭い空隙嵌合突条１１を保持して近接配置されるように構成し、蓋体２の内面を伝う水滴を毛細管現象を利用して空隙嵌合突条１１から凹部１４内に入り込ませる」といった構成を有するものである。
【特許文献１】特開平９−２５５０６７号公報、要約、代表図
【特許文献２】特開２００３−６３５７３号公報、要約、代表図
【発明の開示】
【発明が解決しようとする課題】
【０００６】
以上のような特許文献１及び２の容器によれば、密閉性を十分確保することができる他、蓋の内側に結露した水分あるいは水滴を、水滴流れ溝（特許文献１）あるいは凹部１４内（特許文献２）に入り込ませることができて、食品の味を低下させないといった効果が得られるものと考えられる。
【０００７】
ところで、この種の内外嵌合型の包装用容器の本質的構造は、図７及び図８に示すように、容器本体１０側の嵌合突条１１と蓋体２０側の嵌合凹条２１とを嵌合させるとともに、容器本体１０側の当接平面１３上に蓋体２０側の当接平面２３を当接させることによって、蓋体２０の容器本体１０に対する嵌合位置の決定と、密閉性の確保とを保証するものである。しかしながら、水滴を水滴流れ溝（特許文献１）あるいは凹部１４内（特許文献２）に入り込ませるようにするために、これらの水滴流れ溝（特許文献１）あるいは凹部１４内（特許文献２）を周設すると、上記のような蓋体２０の容器本体１０に対する嵌合位置の決定と、密閉性の確保とを保証することがし辛くなってしまう。
【０００８】
つまり、この種の内外嵌合型の包装用容器では、図７等に示すように、容器本体１０側の嵌合突条１１と蓋体２０側の嵌合凹条２１とを嵌合させるようにすることは勿論、容器本体１０側の当接平面１３上に蓋体２０側の当接平面２３を当接する部分を確保しておかなければならないのである。
【０００９】
また、この種の内外嵌合型の包装用容器は、容器本体１０側の当接平面１３上に蓋体２０側の当接平面２３を当接する部分を確保しておかなければならない結果、容器本体１０内にヒジキの煮物を収納して蓋体２０を嵌合させたとき、両当接平面間にこのヒジキの一部が噛み込んでシッカリと蓋ができなくなるだけでなく、ヒジキが潰れて見た目が美しくない、といった現象が生ずることもある。
【００１０】
そこで、本発明者等は、この種の内外嵌合型の包装用容器に密閉性を確保しながら、容器本体１０と蓋体２０との間への収納物の噛み込みをも防止するにはどうしたらよいか、について種々検討を重ねてきた結果、本発明を完成したのである。
【００１１】
すなわち、本発明の目的とするところは、密閉性を確保しながら、収納物の噛み込みをも防止することのできる包装用容器を、簡単な構成によって提供することにある。
【課題を解決するための手段】
【００１２】
以上の課題を解決するために、まず、請求項１に係る発明の採った手段は、後述する最良形態の説明中で使用する符号を付して説明すると、
「側壁１２の上部に嵌合突条１１を周設した容器本体１０と、嵌合突条１１に嵌合される嵌合凹条２１を周設した蓋体２０とからなる内外嵌合型の包装用容器であって、
容器本体１０の底面から嵌合突条１１に至る側壁１２に、蓋体２０側の当接平面２３が当接することになる当該容器本体１０側の当接平面１３の一部を残しながら、蓋体２０側の当接平面２３の当接を回避する傾斜面１４を形成したことを特徴とする内外嵌合型の包装用容器」
である。
【００１３】
すなわち、この請求項１に係る包装用容器は、側壁１２の上部に嵌合突条１１を周設した容器本体１０と、嵌合突条１１に嵌合される嵌合凹条２１を周設した蓋体２０とからなるものであるが、容器本体１０の底面から嵌合突条１１に至る側壁１２に、蓋体２０側の当接平面２３が当接することになる当該容器本体１０側の当接平面１３の一部を残しながら、蓋体２０側の当接平面２３の当接を回避する傾斜面１４を形成したものである。
【００１４】
この請求項１の包装用容器においては、まず、容器本体１０に周設した嵌合突条１１に、蓋体２０に周設した嵌合凹条２１が嵌合されるのであり、これらの嵌合突条１１及び嵌合凹条２１との嵌合によって、第１段階の密閉性が確保される。そして、図８に示すように、容器本体１０側の当接平面１３上に、蓋体２０側の当接平面２３が当接することになるから、第２段階の密閉性と、蓋体２０の容器本体１０に対する位置決めとが確保される。
【００１５】
ここで、容器本体１０側の各傾斜面１４について見てみると、図７及び図９に示すように、当該傾斜面１４とその上側になる蓋体２０側の当接平面２３との間には空間が形成されることになる。何故なら、この傾斜面１４は、嵌合突条１１から底面に向かって文字通り傾斜しているから、蓋体２０側の当接平面２３が当接し得ないからである。
【００１６】
つまり、この請求項１に係る包装用容器では、その容器本体１０側に、蓋体２０側の当接平面２３が当接することになる当該容器本体１０側の当接平面１３の一部を残しながら、蓋体２０側の当接平面２３の当接を回避する傾斜面１４を形成したから、この傾斜面１４部分において収納物が噛み込むのを防止する空間が確保されているのである。
【００１７】
勿論、収納物が噛み込まないから、蓋体２０は容器本体１０に対してシッカリと嵌合できるだけでなく、内容物が噛み込んで潰れるといった現象も生ずることはないのである。
【００１８】
従って、この請求項１の包装用容器は、容器本体１０と蓋体２０との嵌合時における密閉性を確保しながら、収納物の噛み込みをも防止することができるものとなっているのである。
【００１９】
上記課題を解決するために、請求項２に係る発明の採った手段は、同様に、
「側壁１２の上部に嵌合突条１１を周設した容器本体１０と、嵌合突条１１に嵌合される嵌合凹条２１を周設した蓋体２０とからなる内外嵌合型の包装用容器であって、
容器本体１０側の当接平面１３が当接することになる当該蓋体２０側の当接平面２３に、その一部を残しながら、容器本体１０側の当接平面１３の当接を回避する傾斜面２４を形成したことを特徴とする内外嵌合型の包装用容器」
である。
【００２０】
すなわち、この請求項２の包装用容器では、図９中の仮想線にて示すように、上記請求項１で述べた容器本体１０側の傾斜面１４に代えて、同様な傾斜面２４を蓋体２０側に設けるようにしたものであり、その他の構成は、上記請求項１のそれと同様にしたものである。この場合、傾斜面２４は、嵌合凹条２１から天板に向けて文字通り傾斜するものである。
【００２１】
従って、この請求項２の包装用容器においても、容器本体１０と蓋体２０との嵌合時における密閉性を確保しながら、収納物の噛み込みをも防止することができるものとなっているのである。
【００２２】
上記課題を解決するために、請求項３に係る発明の採った手段は、請求項１または請求項２に記載の内外嵌合型の包装用容器について、
「容器本体１０側の傾斜面１４または蓋体２０側の傾斜面２４を、当該包装用容器の各辺について複数形成したこと」
である。
【００２３】
すなわち、この請求項３の包装用容器では、容器本体１０側の傾斜面１４または蓋体２０側の傾斜面２４を、図１及び図１０に示すように、１辺について複数形成したものであり、容器本体１０側の当接平面１３あるいは蓋体２０側の当接平面２３を少しでも多く残るようにしたものである。
【００２４】
各傾斜面１４または傾斜面２４が複数になっていれば、図１等に示すように、その間に当接平面１３または当接平面２３が残ることになるから、蓋体２０の容器本体１０に対する嵌合時に、位置決めと第２の密閉性を確保するための、両当接平面１３・２３の当接を確保することができるのである。それだけでなく、傾斜面１４または２４が複数になっていれば、その近傍の形状が複雑化するから、合成樹脂シートによって形成した容器本体１０または蓋体２０の剛性をも十分確保できるものとなるのである。
【００２５】
従って、この請求項３の包装用容器は、上記請求項１または請求項２のそれと同様な機能を発揮する他、蓋体２０の容器本体１０に対する嵌合時の位置決めをより確実にすることができ、十分な密閉性を確保でき、さらには、嵌合箇所の剛性も十分なものとなっているのである。
【発明の効果】
【００２６】
以上、詳述した通り、本発明は、
「側壁１２の上部に嵌合突条１１を周設した容器本体１０と、嵌合突条１１に嵌合される嵌合凹条２１を周設した蓋体２０とからなる内外嵌合型の包装用容器であって、
容器本体１０の底面から嵌合突条１１に至る側壁１２に、蓋体２０側の当接平面２３が当接することになる当該容器本体１０側の当接平面１３の一部を残しながら、蓋体２０側の当接平面２３の当接を回避する傾斜面１４を形成したこと」
あるいは、
「側壁１２の上部に嵌合突条１１を周設した容器本体１０と、嵌合突条１１に嵌合される嵌合凹条２１を周設した蓋体２０とからなる内外嵌合型の包装用容器であって、
容器本体１０側の当接平面１３が当接することになる当該蓋体２０側の当接平面２３に、その一部を残しながら、容器本体１０側の当接平面１３の当接を回避する傾斜面２４を形成したこと」
にその構成上の特徴があり、これにより、容器本体１０と蓋体２０との嵌合時における密閉性を確保しながら、収納物の噛み込みをも防止することができる包装用容器を簡単な構成によって提供することができるのである。
【発明を実施するための最良の形態】
【００２７】
次に、以上のように構成した各請求項に係る発明を、図面に示した最良の形態である包装用容器について説明すると、図１〜図６には、本発明に係る包装用容器を構成するための容器本体１０が示してある。この容器本体１０に対しては、図７〜図９に示したように、蓋体２０が嵌合されるものである。
【００２８】
図１〜図６に示した容器本体１０は、その側壁１２の上部に嵌合突条１１を周設したものであり、この容器本体１０の嵌合突条１１には、図７〜図９に示したように、嵌合凹条２１を周設した蓋体２０が嵌合される。
【００２９】
容器本体１０の底面から嵌合突条１１に至る側壁１２には、図９に示したように、容器本体１０の内側、つまり嵌合突条１１から底面に向かって傾斜する傾斜面１４が形成してある。この傾斜面１４は、図１１に示したように、各辺に一個宛形成することもあるが、図１０あるいは図１に示したように、複数形成することもある。また、各傾斜面１４の左右両端部は円弧状にしてあり、この円弧の外側に当接平面１３が残るようにしてある。
【００３０】
一方、蓋体２０については、図７〜図９に示したように、容器本体１０の開口部上方を大きく覆うことになる天板に連なる側壁２２の下端部に嵌合凹条２１が形成してあり、この嵌合凹条２１は容器本体１０側の嵌合突条１１に上方から嵌合されたとき、容器本体１０と蓋体２０との嵌合一体化を果たすものである。そして、この嵌合凹条２１の内側には、図９に示したように、容器本体１０側の当接平面１３上に当接することになる当接平面２３が形成してある。
【００３１】
この蓋体２０については、容器本体１０側に傾斜面１４を形成しない場合に、図９中の仮想線にて示したように、容器本体１０側の当接平面１３が当接することになる当該蓋体２０側の当接平面２３に、その一部を残しながら、容器本体１０側の当接平面１３の当接を回避する傾斜面２４が、嵌合凹条２１から天板に向けて文字通り傾斜した状態で形成してある。
【００３２】
この蓋体２０側の傾斜面２４についても、容器本体１０側の当接平面１３の場合と同様に、各辺に一個宛形成することもあるが、複数形成することもある。また、各傾斜面２４の左右両端部は円弧状にしてあり、この円弧の外側に当接平面２３が残るように実施してもよいことは、上述した容器本体１０側の傾斜面１４の場合と同様である。
【図面の簡単な説明】
【００３３】
【図１】本発明に係る包装用容器を構成する容器本体の平面図である。
【図２】同容器本体の正面図である。
【図３】同容器本体の底面図である。
【図４】同容器本体の、図１中の３−３線に沿ってみた断面図である。
【図５】同容器本体の側面図である。
【図６】同容器本体の断面図である。
【図７】同容器本体に蓋体を嵌合したときの、図１中の２−２線に沿ってみた断面図である。
【図８】同容器本体に蓋体を嵌合したときの、図１中の１−１線に沿ってみた断面図である。
【図９】図７の部分拡大図である。
【図１０】本発明に係る包装用容器を構成する別の容器本体の平面図である。
【図１１】同包装用容器を構成するさらに別の容器本体の平面図である。
【図１２】従来技術を示す部分断面図である。
【図１３】従来の別の技術を示す部分断面図である。
【符号の説明】
【００３４】
１０    容器本体
１１    嵌合突条
１２    側壁
１３    当接平面
１４    傾斜面
２０    蓋体
２１    嵌合凹条
２２    側壁
２３    当接平面
２４    傾斜面
【図１】
2007176507.tif 000003
【図２】
2007176507.tif 000004
【図３】
2007176507.tif 000005
【図４】
2007176507.tif 000006
【図５】
2007176507.tif 000007
【図６】
2007176507.tif 000008
【図７】
2007176507.tif 000009
【図８】
2007176507.tif 000010
【図９】
2007176507.tif 000011
【図１０】
2007176507.tif 000012
【図１１】
2007176507.tif 000013
【図１２】
2007176507.tif 000014
【図１３】
2007176507.tif 000015